(57)【要約】  【課題】回転丸刃の切断位置でのブレを防止し、しかも、紙裁断機における高さの嵩張りの防止や、重量の軽減を図ることのできる紙裁断機を提供する。  【解決手段】紙載置台２の端縁に固定刃５を設け、同固定刃５の裏面側に案内レール４を配設する。案内レール４にスライダ８を摺動自在に配設し、同スライダ８に回転丸刃６を有する回転刃ホルダー７ａ、アーム９を取り付ける。アーム９は、固定刃５を跨いで配設され、固定刃５に対して接離可能に配設した紙押え板１０を押圧する紙押え押圧部１５を取り付ける。紙押え押圧部１５には押圧ローラ１６を回転自在に支持するローラホルダー１６ａが設けられている。押圧ローラ１６の紙押え板１０を押圧する位置が、切断位置よりも前方に配設されている。  【選択図】図５
2006198739.tif 000002
【特許請求の範囲】
【請求項１】
紙載置台２と、
前記紙載置台２の端部に配され、表面側を前記紙載置台２の上面と略面一にし、裏面側に案内レール４を設けた直線状の長尺な固定刃５と、
前記案内レール４に沿って摺動するスライダ８と、
前記固定刃５に接しながら摺動し、回転軸を前記固定刃５の表面よりも上方側に配した回転丸刃６と、
前記回転丸刃６を回転自在に支持する回転刃ホルダー７と、
前記固定刃５を跨ぎ前記スライダ８に取り付けたアーム９と、
前記アーム９に設けた手動部１２と、
を備え、
前記回転刃ホルダー７が、前記固定刃５を跨いで前記スライダ８に取り付けられ、
前記手動部１２を水平方向に押圧することで、前記回転丸刃６を前記固定刃５に接しながら同固定刃５に沿って摺動させてなることを特徴とする紙裁断機。
【請求項２】
前記固定刃５の長尺方向と略平行に配設され、前記固定刃５の表面に対して接離可能に配された長尺の紙押え板１０と、
前記アーム９に設けられ、前記紙押え板１０を前記固定刃１０方向に押圧する紙押え押圧部１５と、
を更に備え、
前記紙押え板１０と前記固定刃５とにより、前記紙載置台２上に載置した切断紙を挟持し、
前記紙押え板１０を前記固定刃５方向に押圧する前記紙押え押圧部１５の押圧部材１６が、前記回転丸刃６を切断方向に摺動させたときの前記回転丸刃６と前記固定刃５との切断位置よりも前記回転丸刃６の摺動方向前方に配設されてなることを特徴とする請求項１記載の紙裁断機。
【請求項３】
前記押圧部材１６が、押圧ローラ１６であることを特徴とする請求項２記載の紙裁断機。
【請求項４】
前記押圧ローラ１６が、板バネ１７により前記紙押え板１０側に付勢されてなることを特徴とする請求項３記載の紙裁断機。
【請求項５】
前記手動部１２が、前記紙押え押圧部１５に形成した把手１２であることを特徴とする請求項１〜４のいずれかに記載の紙裁断機。
【請求項６】
前記アーム９の一部に、前記回転丸刃６と前記固定刃５とにより切断された切断片を外部にガイドする傾斜部１９が形成されてなることを特徴とする請求項１〜５のいずれかに記載の紙裁断機。
【請求項７】
前記紙載置台２が、補助紙載置台２２を有し、同補助紙載置台２２の未使用時には同補助紙載置台２２が前記紙載置台２内に収納されてなることを特徴とする請求項１〜６のいずれかに記載の紙裁断機。
【請求項８】
前記案内レール４の下部にダストトレイ２５が形成されてなることを特徴とする請求項１〜７のいずれかに記載の紙裁断機。
【請求項９】
前記紙載置台２に、切断紙の片側端縁位置を規制するガイド片３が配設され、同ガイド片３が、前記紙載置台２に対して固定した状態と固定解除した状態とに切換え可能に構成され、前記固定解除状態において前記ガイド片３が、切断紙の片側端辺位置に対する規制方向を調整可能となっていることを特徴とする請求項１〜８のいずれかに記載の紙裁断機。
【請求項１０】
前記スライダ８が、前記案内レール４の片側に設けた定荷重バネ２７に連結し、前記スライダ８が、前記定荷重バネ２７により前記回転丸刃６の切断方向とは逆方向に戻るよう付勢されてなることを特徴とする請求項１〜９のいずれかに記載の紙裁断機。
【請求項１１】
前記紙押え板１０が透明な板にて形成され、前記紙押え板１０に前記固定刃５の切断線と平行に形成した複数の目盛り１０ａが形成されてなることを特徴とする請求項１〜１０のいずれかに記載の紙裁断機。
【発明の詳細な説明】
【技術分野】
【０００１】
本発明は、手動により回転丸刃を固定刃に沿って摺動させ、紙載置台上に載置した切断紙を切断する紙裁断機に関する。
【背景技術】
【０００２】
従来から、手動により回転丸刃を固定刃に沿って摺動させ、紙載置台上に載置した切断紙を切断する紙裁断機が用いられている。これらの紙裁断機において、回転丸刃を回転自在に支持する回転刃ホルダーは、紙載置台上方に配設した案内レールに沿って摺動する構成となっていた。
【０００３】
従来から用いられている紙裁断機としては、本願出願人に係わる紙裁断機（特許文献１参照。）などがある。図９には、特許文献１に記載された紙裁断機の全体斜視図を示し、図１０には、図９のＢ−Ｂ断面図を示している。
【０００４】
図９に示すように、紙載置台５１の一端部側にはスライダ５３を摺動案内するレール５２が配設されている。レール５２の両端は、紙載置台５１に固定された支持部材５４及び５５により上下動可能に設けられている。レール５２の下側に位置して紙押え板５６がレール５２とは独立して紙載置台５１に対して垂直方向に上下動可能に設けられている。レール５２にはスライダ３５が摺動自在に装着されている。
【０００５】
図１０に示すように、スライダ５３はレール５２に嵌合されてスライド可能に配設され、スライダ５３により回転可能に支持した回転丸刃５７の側面が紙押え板５６の側縁に接するように配設されている。また、回転丸刃５７の刃が当たる紙載置台５１には回転丸刃５７の刃先を保護するためのラバー５８が設けられている。
【０００６】
スライダ５３を押圧すると、レール５２は支持部材５４、５５により紙載置台５１に対して平行に下降するとともに、紙押え板５６を下降させ紙押え板５６と紙載置台５１との間に切断紙を挟持することができる。この状態でスライダ５３をレール５２に沿って摺動させると、紙押え板５６と紙載置台５１との間に挟持した切断紙を回転丸刃５７により切断することができる。
【０００７】
スライダ５３の押圧を解除すると、レール５２は図示せぬ駆動機構により上方に移動する。このとき、紙押え板５６は図示せぬ案内部材に案内されながら図示せぬストッパ部材がレール５２に当接するまで、圧縮バネ５９により紙載置台５１に対して垂直方向に上昇し、紙載置台５１の上面と紙押え板５６とが平行になってその間に間隙が形成できるように構成されている。
【特許文献１】特開平５−２４５７９４号公報
【発明の開示】
【発明が解決しようとする課題】
【０００８】
従来の手動により紙載置台上に載置した切断紙を切断する紙裁断機では、回転丸刃を支持したスライダを摺動させるのに、紙載置台上にレールを設けなければならなかった。このため、紙裁断機として高さも嵩張り、重量が重くなっていた。
【０００９】
また、切断時のレールの位置と回転丸刃による切断位置とが離れているため、スライダの摺動方向に直交する方向でのスライダとレールとの間における微小なブレは、回転丸刃の切断位置において拡大されたブレとなり、切断ブレの原因ともなっていた。
【００１０】
本願発明は、簡単な構造でありながら回転丸刃の切断位置でのブレを防止し、しかも、紙裁断機における高さの嵩張りの防止や、重量の軽減を図ることのできる紙裁断機を提供することにある。
【課題を解決するための手段】
【００１１】
本願発明の課題は、以下の各発明により達成することができる。
即ち、紙載置台と、前記紙載置台の端部に配され、表面側を前記紙載置台の上面と略面一にし、裏面側に案内レールを設けた直線状の長尺な固定刃と、前記案内レールに沿って摺動するスライダと、前記固定刃に接しながら摺動し、回転軸を前記固定刃の表面よりも上方側に配した回転丸刃と、前記回転丸刃を回転自在に支持し、する回転刃ホルダーと、前記固定刃を跨ぎ前記スライダに取り付けたアームと、前記アームに設けた手動部と、を備え、前記回転刃ホルダーが、前記固定刃を跨いで前記前記スライダに取り付けられ、前記手動部を水平方向に押圧することで、前記回転丸刃を前記固定刃に接しながら同固定刃に沿って摺動させてなる構成を最も主要な特徴となしている。
【００１２】
また、紙押え板をアームに設けた紙押え押圧部により固定刃側に押圧する構成を主要な特徴となしている。
更に、紙押え押圧部の構成を限定したことを主要の特徴となしている。
更にまた、回転丸刃を切断方向に摺動される手動部の構成を限定したことを主要な特徴となしている。
【００１３】
また、アームに切断された切断片を外部にガイドする傾斜部を形成したことを主要な特徴となしている。
更に、紙載置台に収納可能な補助紙載置台を設けたこと、ダストトレイを案内レールの下部に形成したことを主要な特徴となしている。
【００１４】
更にまた、切断紙の片側端縁の位置を規制するガイド片の構成を特定したことを主要な特徴となしている。
また、スライダの戻り機構を主要な特徴となしている。
更に、紙押え板に目盛りを形成したことを主要な特徴となしている。
【発明の効果】
【００１５】
本願発明では、案内レールと回転丸刃による切断位置とを近接して配設することができるので、スライダと案内レールとの間におけるブレの影響が、回転丸刃の切断位置に対して与える影響を小さくすることができ、直線度の高い切断が可能となる。
【００１６】
しかも、案内レールが紙載置台内に配設することができるので、紙裁断機本体を薄型に構成することができ、しかも、紙裁断機自体の重量も軽量化させることができる。このため、携帯に便利な、しかも高精度での切断を可能とした紙裁断機を提供することができる。
【００１７】
また、スライダには、回転刃ホルダーとアームとが別個に取り付けられているので、アームとして金属材料等を用いることで、スライダを摺動させるアームの強度を向上させることができる。また、手動部をアームに設けることにより、スライダ及び回転刃ホルダーを摺動させるのを、強度の高いアームを指で挟持し、水平方向に移動させるだけで行えるので、摺動時のブレ等を防止することができる。
【００１８】
また、回転丸刃と固定刃とによる切断が終了した後に、スライダ、回転刃ホルダー、アームとを最初の切断開始位置に戻すときでも、固定刃を跨いでいるアームの部位の形状を、固定刃の移動軌跡から離れた形状に形成することができる。このため、切断開始位置への戻り時において、アームが切断紙の端縁に当接してしまうのを防止することができる。
【００１９】
また、アームに設けた紙押え押圧部により紙押え板を固定刃側に押圧する押圧位置を、回転丸刃と前記固定刃とによる切断位置よりも回転丸刃の切断方向前方側の位置とすることができる。
【００２０】
これにより、紙押え板により切断紙をしっかりと確実に固定することができる。しかも、回転丸刃と前記固定刃とによる切断位置の前方側で紙押え板を押圧するので、切断紙をしっかりと固定された状態で回転丸刃と固定刃とによる切断を行わせることができる。このため、切断中に切断紙がずれたりするのを防止することが確実に防止できる。
【００２１】
紙押え押圧部における押圧部材としては、押圧ローラとして構成することも、例えば、半球状の突起や、回動自在とした球状体などにより構成することができる。押圧部材としては、スライダを案内レールに沿って摺動させたときに押圧部材の当接部と紙押え板との間で摺動抵抗を生じさせない構成であれば、多様な構成を採用することができる。
【００２２】
また、板バネを用いて押圧ローラに対して紙押え板側への付勢力を付加する構成とすることもできる。これにより、紙押え板と切断紙との接地面積を広く構成することができ、紙ズレをより確実に防止することができる。
【００２３】
把手を紙押え押圧部に形成することによって、把手の形状を手動にて操作し易い形状に構成することが容易になる。しかも、把手とスライダ、回転刃ホルダーとを別体にて構成することが可能となり、それぞれの設計の自由度を向上させることができる。
【００２４】
切断された切断片を下方等の外部に排出する傾斜部をアームに装着した下カバーの一部に形成することにより、切断片を滑らかに切断位置から排出することができる。傾斜部としては、下カバーの形状によっては下カバー以外にも、アームに装着した上カバーに形成することも、アーム自体に形成することもできる。これにより、切断される切断紙が歪んで切断されたり、切断位置がずれたりするのを確実に防止することができる。また、前記傾斜部を下カバーに形成したことにより、傾斜部の形状を所望の形状に形成することが可能となる。
【００２５】
補助紙載置台を紙載置台に設けることができ、大型の切断紙を切断するときには、補助紙載置台と紙載置台とを用いて切断紙の切断を行うことができる。また、紙載置台に載る切断紙を切断するときや紙裁断機を持ち運ぶときには、補助紙載置台を紙載置台内に収納することができる。
【００２６】
補助紙載置台の紙載置台へ取り付け構成としては、例えば、補助紙載置台の一端部を回動自在に紙載置台に支承し、補助紙載置台を展開回動させることで、紙載置台とともに切断紙の載置台として機能させ、補助紙載置台を収納回動させることで紙載置台内に収納させる構成とすることができる。あるいは、引き出し式にして補助紙載置台を紙載置台に配設する構成とすることもできる。補助紙載置台を紙載置台に収納したときには、勝手に補助紙載置台が収納場所から出てこないように、適宜の係止手段を用いて構成することもできる。
【００２７】
ダストトレイを案内レールの下部に設けることにより、切断片の飛散を防止することができる。また、ダストトレイの内部を湾曲させることにより、ダストトレイ内に溜まった切断片を容易に取り出すことができるようになる。
【００２８】
切断紙の片側基準となるガイド片のガイド方向を調整可能とすることで、作業者の希望する裁断角度にガイド片の向きを調整することができる。特に、真四角な切断辺で切断紙の切断を行いたいときには、ガイド片の傾きを微調整することで、同ガイド片で規定されるガイド方向に対して常に直交する方向での切断を行うことができる。
【００２９】
ガイド片の調整構成としては、例えば、ガイド片の長手方向に３つの取り付け孔を形成し、しかも真ん中の取り付け孔を除いた二つの孔を長孔として形成することにより構成することができる。このとき、ガイド片の角度位置の調整方法としては、前記取り付け孔を紙載置台に固定するネジ等を緩めて、真ん中の取り付け孔を中心にガイド片を回動させる。所望の角度位置にガイド片の角度位置を調整した後、ネジ等を締め付けて固定することにより、ガイド片を所望の角度位置に調整することができる。
【００３０】
定荷重バネを用いて回転刃ホルダー、アーム及びスライダを初期位置に戻す構成とすることができる。これにより、手動部を水平方向に押圧して摺動させ、回転丸刃と固定刃とによる切断が終了した後において、手動部を解放すれば回転刃ホルダー、アーム及びスライダを初期位置に自動的に戻すことができる。
【００３１】
しかも、定荷重バネを用いているので、回転刃ホルダー、アーム及びスライダが初期位置に戻るときには、一定の荷重で引っ張られることになり、たとえ紙裁断機の裁断幅が長くなったとしても、常に所定の速度で戻すことができる。また、切断紙の切断時に、スライダ等を摺動させる押圧力は小さく一定になる。
【００３２】
紙押え板を透明な板にて構成し、紙押え板の表面又は裏面に固定刃と平行な目盛りを形成することができる。このように構成することで、例えば、切断紙として写真が現像又は印刷された印画紙を用いる場合において、紙押え板を透して余白の幅を紙押え板の目盛りを見ながら調整することができる。即ち、写真の縁を基準にして前記目盛り線と重ね合わすことにより、重ね合わせた位置から固定刃までの長さにより、余白の長さを調整することができる。
【発明を実施するための最良の形態】
【００３３】
本発明の好適な実施の形態について、添付図面に基づいて以下において具体的に説明する。尚、本発明は、以下に説明する実施例に限定されるものではなく、多様な変更が可能である。
【実施例】
【００３４】
図１では、本願発明に係わる紙裁断機１の全体斜視図を示し、図２では、紙裁断機１の主要構成部材を分解した全体構成図を示している。図３、図４は、紙裁断機１の一端側を省略した斜視図を示し、図５、図７には、紙押え押圧部１５の要部斜視図をそれぞれ別の角度から見た図として示している。図８は、補助紙載置台２２の展開回動を説明する図である。
【００３５】
図１に示すように紙裁断機１は紙載置台２の端部において、表面側を紙載置台２の上面と略同一面とし、裏面側に案内レール４を取り付けた長尺の固定刃５が設けられている。固定刃５の表面側には、紙押え板１０が配設されている。そして、紙押え板１０の両端部には、その長手方向に長く、幅方向にはツバ付カラー部材２６の径と略同じか多少小さな幅とした長孔が穿孔されている。紙押え板１０は、その両端部がツバ付カラー部材２６を介してネジ２６ａにより紙載置台２に遊嵌固定されている。
【００３６】
紙押え板１０をツバ付カラー部材２６のツバ方向に持ち上げることにより、紙押え板１０と紙載置台２との間に間隙を形成することができる。また、紙押え板１０における固定刃５とは反対側の端縁は、紙載置台２上に載置した切断紙を挿入し易くガイドするため、挿入口を開口させた傾斜面に形成されている。また、図２に示すように、紙押え板１０は透明な板にて構成され、同紙押え板１０の表面側又は裏面側に、固定刃５の切断線と平行な目盛り１０ａが形成されている。
【００３７】
尚、図示例では、目盛り１０ａは図２においてのみ記載し、他の図面における紙押え板１０においては、目盛りの記載を省略している。紙押え板１０に形成した目盛り１０ａに、例えば、写真の印画紙における写真の縁を目盛り１０ａの線に合わせることで、写真の周りに形成する余白の幅を任意に調整することができる。即ち、写真の縁を固定刃５の切断縁から所定距離だけ離した位置で同写真を印刷した印画紙を切断することで、写真の周りの余白の幅を前記写真の縁を固定刃５の切断縁から所定距離に応じて形成することができる。
【００３８】
紙載置台２の両側縁には、支持部材１３ａ、１３ｂが配設され、案内レール４に沿って摺動する紙押え押圧部１５等の抜け止めを構成している。また、各支持部材１３ａ、１３ｂの端面は、それぞれカバー１４によって被覆されている。紙載置台２の一側縁側には、切断紙の片側位置を規制するガイド片３が、ネジ２４により固定されている。
【００３９】
図２を中心にして、紙裁断機１の各構成部材について更に説明する。ガイド片３の一端部には凹部３ａが形成されている。また、ガイド片３に形成されたネジ２４が挿入される孔２３ａ〜２３ｃは、孔２３ａと孔２３ｃとが長孔として形成されている。ネジ２４を緩めて、図３に示す凹部３ａを押圧することにより、ガイド片３は、孔２３ｂに挿入したネジ２４を中心として回動することができ、ガイド片３のガイド方向を調整することができる。ガイド片３のガイド方向を調整した後、各ネジ２４を締め付けることにより、図３に示すようにガイド片３を調整したガイ方向に固定することができる。
【００４０】
固定刃５は、Ｌ字状断面形状を有し、Ｌ字状の上面を紙載置台２の上面と略面一にして図示せぬネジ等により紙載置台２に固定されている。固定刃５の裏面側には、略コ字状の案内レール４が図示せぬネジ等により固定されている。固定刃５の下部には、ダストトレイ２５が紙載置台２の端部に取り付けられている。紙載置台２に対する固定刃５、案内レール４及びダストトレイ２５の配設構造は、支持部材１３ａを省略して示した図３において詳細に示している。
【００４１】
紙載置台２の両側端縁には、支持部材１３ａ、１３ｂが取り付けられ、各支持部材１３ａ、１３ｂの端面には、カバー１４が取り付けられている。各支持部材１３ａ、１３ｂの一端部には支軸３０が形成され、紙載置台２の裏面側に収納自在に配設した補助紙載置台２２の端部に形成した回動孔３１に前記支軸３０が挿入されている。左右の支持部材１３ａ、１３ｂとカバー１４のうち一方の支持部材及びカバー１４を省略して示した図３、図４においては、紙載置台２に補助紙載置台２２を収納した状態を示している。
【００４２】
これにより、補助紙載置台２２は、図８（ａ）、（ｂ）に示すように、紙載置台２に対して回動展開（図８（ｂ）の状態）及び回動収納（図１の状態）させることができる。図８（ｂ）に示すように、補助紙載置台２２のフランジ部には、係止片２２ａが形成され、フランジ部２２ｂが取り付けられている。同係止片２２ａと紙載置台２の裏面側に形成した図示せぬ係止片との係合により、補助紙載置台２２は紙載置台２内に収納固定することができる。
【００４３】
また、補助紙載置台２２が紙載置台２に収納された状態で、支持部材１３ａ、１３ｂに形成した切り欠１３ｃから露呈したフランジ部２２ｂを押圧することで、係止片２２ａと紙載置台２の裏面側に形成した係止片との係合状態を解除することができる。
【００４４】
図２に示すように、案内レール４の溝にはスライダ８を摺動自在に配設される。特に、図２、図４、図５に示すように、スライダ８には、回転刃ホルダー７の取付部７ａ及びアーム９がネジ等を介して取り付けられる。
即ち、アーム９は固定刃５を跨いで、固定刃５の裏面側に配したスライダ８と結合し、回転刃ホルダー７はアーム９とは別体で、固定刃５を跨いで、固定刃５の裏面側に配したスライダ８と結合している。
【００４５】
回転刃ホルダー７には、回転丸刃６が回転自在に支持されている。回転丸刃６の回転軸は、固定刃５の上面よりの上方に配設される。これにより、回転丸刃６の切断時、固定刃５と紙押え板１０との間で挟持した切断紙を回転丸刃６によりダウンカットすることができる。
【００４６】
アーム９には、紙押え板１０を押圧する紙押え押圧部１５が設けられている。紙押え押圧部１５は、特に、図２に示すように、上カバー２０ａ内に構成され、押圧ローラ１６、同押圧ローラ１６を回転自在に支持するローラホルダー１６ａ、ローラホルダー１６ａを紙押え板１０側にバネ付勢する板バネ１７から構成されている。ローラホルダー１６ａは、板バネ１７を介してアーム９に取り付けられる。
【００４７】
図５に示すように、回転刃ホルダー７は、上下一対のカバー２０ａ、２０ｂ内に収納されている。また、押圧ローラ１６による紙押え板１０の押圧部位は、回転丸刃６と固定刃５との切断位置よりも、回転丸刃６の切断方向前方に構成されている。これにより、切断位置の前方で紙押え板１０を押圧しながら、回転丸刃６と固定刃５とにより、切断紙の切断を行うことができ、切断における切断紙の位置ずれ等を確実に防止することができる。
【００４８】
下カバー２０ｂにおける固定刃５を跨ぐ部位には、図６に示すように回転丸刃６により切断した切断片を外部に逃がす傾斜部１９が形成されている。回転丸刃６と固定刃５とにより切断された切断片は、傾斜部１９の傾斜面に沿いながら下方に排出され、案内レール４の下方に配設したダストトレイ２５（図３参照。）内に収納される。
【００４９】
上カバー２０ａには、把手１２が形成されている。また、同把手１２の周縁部には、同把手１２を押圧操作する手等との接触状態を良好にするラバー部１２ａが配設されている。
【００５０】
把手１２を水平方向に移動させることにより、図４に示すように定荷重バネ２７を引き出しながら上下一対のカバー２０ａ、２０ｂ等を案内レール４に沿って摺動させることができる。これにより、回転丸刃６と固定刃５とにより、固定刃５と紙押え板１０との間に挟持した切断紙を切断することができる。
【００５１】
また、特に図４で示すように、スライダ８には、スライダ８を回転丸刃６の切断開始の初期位置側に戻るように付勢する定荷重バネ２７が取り付けられる。定荷重バネ２７は、ピン２９を介して定荷重バネホルダー２８に支持され、同定荷重バネホルダー２８は、支持部材１３ｂに配設されている。
【００５２】
切断紙の切断が終了したときには、把手１２を開放することで、上下一対のカバー２０ａ、２０ｂ等を定荷重バネ２７により、自動的に切断開始位置に戻すことができる。上下一対のカバー２０ａ、２０ｂ等は、スライダ８に連結した定荷重バネ２７の引張り力に抗して切断方向に押圧摺動することになるが、前記定荷重バネ２７による引張り力は、上下一対のカバー２０ａ、２０ｂ等の切断方向への摺動移動量に係わらず常に一定の引張り力となっている。
【００５３】
このため、切断幅が広い紙裁断機においても、切断方向への移動量が大きくなるにつれて、引張り力が増大することなく、常に一定のしかも軽い押圧力で上下一対のカバー２０ａ、２０ｂ等を切断方向に摺動させることができる。また、上下一対のカバー２０ａ、２０ｂ等が定荷重バネ２７の引張り力によって自動的に切断開始位置に戻る場合においても、上下一対のカバー２０ａ、２０ｂ等が急激に戻されることがなく、一定のスピードで戻すことができる。
【産業上の利用可能性】
【００５４】
本願発明は、紙裁断機と同様な構成を有する装置等に本願発明の技術を適用することができる。
【図面の簡単な説明】
【００５５】
【図１】紙裁断機の全体斜視図である。（実施例）
【図２】紙裁断機の全体図を示した分解図である。（実施例）
【図３】一方の支持部材を省略した紙裁断機の斜視図である。（実施例）
【図４】他方の支持部材を省略した紙裁断機の斜視図である。（実施例）
【図５】回転丸刃と固定刃との切断部周辺を示した要部斜視図である。（実施例）
【図６】回転丸刃と固定刃との切断部周辺を示した要部拡大斜視図である。（実施例）
【図７】紙押え板と紙押え押圧部との関係を示した要部斜視図である。（実施例）
【図８】補助紙載置台の作動を説明する図である。（実施例）
【図９】紙裁断機の全体斜視図である。（従来例）
【図１０】図９のＢ−Ｂ断面図である。（従来例）
【符号の説明】
【００５６】
１          紙裁断機
２          紙載置台
３          ガイド片
３ａ        凹部
４          案内レール
５          固定刃
６          回転丸刃
７          回転刃ホルダー
７ａ        取付部
８          スライダ
９          アーム
１０          紙押え板
１０ａ        目盛り
１２          把手
１２ａ        ラバー部
１３ａ、ｂ    支持部材
１３ｃ        切り欠
１４          カバー
１５          紙押え押圧部
１６          押圧ローラ
１６ａ        ローラホルダー
１７          板バネ
１８          ピン
１９          傾斜部
２０ａ        上カバー
２０ｂ        下カバー
２２          補助紙載置台
２２ａ        係止片
２２ｂ        フランジ部
２３ａ、ｂ、ｃ    孔
２４          ネジ
２５          ダストトレイ
２６          ツバ付カラー部材
２６ａ        ネジ
２７          定荷重バネ
２８          定荷重バネホルダー
２９          ピン
３０          支軸
３１          回動孔
５１          紙載置台
５２          レール
５３          スライダ
５４、５５    支持部材
５６          紙押え板
５７          回転丸刃
５８          ラバー
５９          圧縮バネ
【図１】
2006198739.tif 000003
【図２】
2006198739.tif 000004
【図３】
2006198739.tif 000005
【図４】
2006198739.tif 000006
【図５】
2006198739.tif 000007
【図６】
2006198739.tif 000008
【図７】
2006198739.tif 000009
【図８】
2006198739.tif 000010
【図９】
2006198739.tif 000011
【図１０】
2006198739.tif 000012